(57)【要約】【課題】耐風圧性能を備えつつ、高い採光性と十分な屋内の床面積を確保することが可能な開口部装置を提供すること。【解決手段】縦枠と横枠により枠組みされた枠体２と、枠体２を複数の開口部に区画する方立３と、方立３を補強する補強材８と、前記開口部に納められるガラス６１ａ，６２ａと、を備え、前記方立は、筒状の第１の方立本体部３１１及び第２の方立本体部３２１と、これら方立本体部の屋外側に設けられ且つ隣り合う一対のガラス又は障子の側端部が挿入されて保持される一対の溝３１２ｄ，３２２ｃを有する第１の保持部３１２及び第２の保持部３２２と、を有し、補強材８は、方立本体部内に配置された補強材本体部８１と、補強材本体部から一対の溝３１２ｄ，３２２ｃ間を通って屋外側に延出する補強材延出部８２と、を有する開口部装置１。【選択図】図４
2015175152.tif 000002
【特許請求の範囲】
【請求項１】
縦枠と横枠により枠組みされた枠体と、
該枠体を複数の開口部に区画する方立と、
該方立を補強する補強材と、
前記開口部に納められるガラス又は障子と、を備え、
前記方立は、筒状の方立本体部と、該方立本体部の屋外側に設けられ且つ隣り合う一対のガラス又は障子の側端部が挿入されて保持される一対の溝を有する保持部と、を有し、
前記補強材は、前記方立本体部内に配置された補強材本体部と、前記補強材本体部から前記一対の溝間を通って屋外側に延出する補強材延出部と、を有する開口部装置。
【請求項２】
前記保持部に形成された一対の溝の深さが異なり、
前記補強材延出部は、前記方立の見付方向の中心よりも一方側に偏心した部位において前記補強材本体部から屋外側に延出する請求項１記載の開口部蔵置。
【請求項３】
前記方立は、第１の方立部材と、第２の方立部材と、を備え、
前記第１の方立部材は、前記方立本体部の一部である第１の方立本体部と、前記保持部としての第１の保持部と、を有し、
前記第２の方立部材は、前記方立本体部の一部である第２の方立本体部と、前記保持部としての第２の保持部と、を有し、
前記第１の保持部は、前記第１の方立本体部から屋外側に延出される第１の方立見込部と、前記第１の方立見込部の先端から第１の見付方向に延設される第１の方立見付部と、を有し、
前記第２の保持部は、前記第２の方立本体部から屋外側に延出される第２の方立見込部と、第２の方立見込部の先端から前記第１の見付方向とは逆方向の第２の見付方向に延設される第２の方立見付部と、を有し、
前記補強材延出部は、前記第１の方立見込部と前記第２の方立見込部との間に配置され且つ締結部材によって前記第１の方立見込部及び前記第２の方立見込部と共締めされる請求項１又は２記載の開口部装置。
【請求項４】
前記第１の方立部材は、前記第１の方立見込部の先端から前記第２の見付方向に突出する突出部を更に有し、
前記補強材延出部は、前記第１の方立見込部、前記第２の方立見込部及び前記突出部によって形成される空間に侵入する請求項３記載の開口部装置。
【請求項５】
前記補強材本体部を前記方立とともに前記横枠に締結部材で固定する工程と、
前記補強材延出部を、前記第１の方立見込部及び前記第２の方立見込部と締結部材で共締めする工程と、を含む請求項３又は４記載の開口部装置の施工方法。
【発明の詳細な説明】
【技術分野】
【０００１】
本発明は、開口部装置及びその施工方法に関する。
【背景技術】
【０００２】
従来、開口部を方立や無目によって区画した開口部装置が知られている。このような開口部装置の方立としては、方立や無目によって支持されるガラスや障子に加わる風圧に耐えることができるように方立の見込み寸法を大きくしたり、縦枠内部にコ字形の補強材を配置したりしている（例えば、特許文献１参照）。また、カーテンウォールにおいて、方立の、ガラスの配置される溝よりも屋内側の中空内部に補強材を配置する技術も知られている（例えば、特許文献２参照）。
【先行技術文献】
【特許文献】
【０００３】
【特許文献１】特開平９−１２５８２７号公報
【特許文献２】特開平２０００−２６５６０７号公報
【発明の概要】
【発明が解決しようとする課題】
【０００４】
図５は、従来の方立の一例であって、内部に補強材を配置した方立９の横断面図である。図５に示すように、方立９は、内部に中空９１が形成されたホロー構造であり、一方のガラス９２の側端部が挿入される溝部９３が見付方向における中心に形成されている。更に、中空９１には、断面コ字状の補強材９４が溝部９３を覆うようにして配置される。このような断面コ字状の補強材９４を用いれば、方立９の耐風圧性能を向上させることができるが、補強材９４を配置するスペースを十分に確保するために方立９の見付方向及び見込方向の幅を大きくする必要がある。
このように、方立の見付方向の幅を大きくした場合には、開口部の面積が小さくなり、開口部装置の採光性や意匠性が低下してしまう。一方、方立の見込方向の幅を大きくした場合には、開口部装置を設置するためのスペースが大きくなり屋内の床面積が狭くなってしまう。
【０００５】
なお、方立の、ガラスの配置される溝の形成された支持部よりも屋内側の中空内部に補強材を配置したカーテンウォールは、ガラスの延長面上に補強材が存在しておらず、耐風圧性能が十分でない。
ところで、特許文献２で開示されたカーテンウォールは、方立が２部材で構成され且つ方立の支持部が中空の形成されたホロー構造となっている。この方立を構成する一方の部材側の中空には、両部材を締結するビスの先端が進入する。中空内にビスの先端が進入することで、溝にガラスを挿入する際に、ガラスがビスの先端に接触するのを防止できる一方、方立の見付方向の幅が大きくなってしまう。また、この方立では、中空が形成されることで、支持部のガラスよりも屋外側の部分の幅及び方立の見込方向の幅が厚くなる。このように、特許文献２で開示されたカーテンウォールの方立は、見付方向及び見込方向の幅が大きい上に、屋外側から観察した際には、ガラスが奥（屋内側）に配置されているように見えることから、意匠性が低い。
【０００６】
本発明は上記に鑑みてなされたものであり、その目的は、十分な耐風圧性能を備えつつ、高い採光性と屋内の床面積を確保することが可能な開口部装置を提供することにある。
【課題を解決するための手段】
【０００７】
上記目的を達成するため本発明は、縦枠と横枠により枠組みされた枠体（例えば、後述の枠体２）と、該枠体を複数の開口部に区画する方立（例えば、後述の方立３）と、該方立を補強する補強材（例えば、後述の補強材８）と、前記開口部に納められるガラス又は障子（例えば、後述のガラス６１ａ，６２ａ）と、を備え、前記方立は、筒状の方立本体部（例えば、後述の第１の方立本体部３１１及び第２の方立本体部３２１）と、該方立本体部の屋外側に設けられ且つ隣り合う一対のガラス又は障子の側端部が挿入されて保持される一対の溝（例えば、後述の溝３１２ｄ，３２２ｃ）を有する保持部（例えば、後述の第１の保持部３１２及び第２の保持部３２２）と、を有し、前記補強材は、前記方立本体部内に配置された補強材本体部（例えば、後述の補強材本体部８１）と、前記補強材本体部から前記一対の溝間を通って屋外側に延出する補強材延出部（例えば、後述の補強材延出部８２）と、を有する開口部装置（例えば、後述の開口部装置１）を提供する。
【０００８】
本発明では、方立と、方立を補強する補強材を備える開口部装置において、方立が、筒状の方立本体部と、その屋外側に設けられ且つ隣り合う一対のガラス又は障子の側端部が挿入されて保持される一対の溝を有する保持部と、を有するものとした。また、補強材が、筒状の方立本体部の内部に配置された補強材本体部と、補強材本体部から一対の溝間を通って屋外側に延出する補強材延出部と、を有するものとする。
これにより、方立の強度を十分に向上させつつも、方立の見付方向及び見込方向の幅を十分に小さくすることができる。方立の見付方向の幅を十分に小さくすることで開口部装置の採光性が高くなる。一方、方立の見込方向の幅を十分に小さくすることで屋内の床面積を大きくすることができる。
また、一対の溝が屋外側に形成されることで、ガラス又は障子も屋外側に寄せることができるので、開口部装置をカーテンウォール風にすることができ、開口部装置を屋外側から観察した際の意匠性が向上する。
【０００９】
前記保持部に形成された一対の溝の深さが異なり、前記補強材延出部は、前記方立の見付方向の中心よりも一方側に偏心した部位において前記補強材本体部から屋外側に延出することが好ましい。
【００１０】
前記方立は、第１の方立部材（例えば、後述の第１の方立部材３１）と、第２の方立部材（例えば、後述の第２の方立部材３２）と、を備え、前記第１の方立部材は、前記方立本体部の一部である第１の方立本体部（例えば、後述の第１の方立本体部３１１）と、前記保持部としての第１の保持部（例えば、後述の第１の保持部３１２）と、を有し、前記第２の方立部材は、前記方立本体部の一部である第２の方立本体部（例えば、後述の第２の方立本体部３２１）と、前記保持部としての第２の保持部（例えば、後述の第２の保持部３２２）と、を有し、前記第１の保持部は、前記第１の方立本体部から屋外側に延出される第１の方立見込部（例えば、後述の第１の方立見込部３１２ａ）と、前記第１の方立見込部の先端から第１の見付方向に延設される第１の方立見付部（例えば、後述の第１の方立見付部３１２ｂ）と、を有し、前記第２の保持部は、前記第２の方立本体部から屋外側に延出される第２の方立見込部（例えば、後述の第２の方立見込部３２２ａ）と、第２の方立見込部の先端から前記第１の見付方向とは逆方向の第２の見付方向に延設される第２の方立見付部（例えば、後述の第２の方立見付部３２２ｂ）と、を有し、前記補強材延出部は、前記第１の方立見込部と前記第２の方立見込部との間に配置され且つ締結部材（例えば、後述のビス８３）によって前記第１の方立見込部及び前記第２の方立見込部と共締めされることが好ましい。
【００１１】
前記第１の方立部材は、前記第１の方立見込部の先端から前記第２の見付方向に突出する突出部（例えば、後述の突出部３１２ｃ）を更に有し、前記補強材延出部は、前記第１の方立見込部、前記第２の方立見込部及び前記突出部によって形成される空間に侵入することが好ましい。
【００１２】
また、本発明は、前記補強材本体部を前記方立とともに前記横枠に締結部材（例えば、後述のビス８４ａ，８４ｂ）で固定する工程と、前記補強材延出部を、前記第１の方立見込部及び前記第２の方立見込部と締結部材（例えば、後述のビス８３）で共締めする工程と、を含む開口部装置の施工方法を提供する。
【発明の効果】
【００１３】
本発明によれば、十分な耐風圧性能を備えつつ、高い採光性と十分な屋内の面積を確保することが可能な開口部装置を提供することができる。
【図面の簡単な説明】
【００１４】
【図１】本発明の一実施形態に係る開口部装置を屋内側から見た姿図である。
【図２】上記実施形態に係る開口部装置の縦断面図（図１のＡ−Ａ線断面図）である。
【図３】上記実施形態に係る開口部装置の横断面図（図１のＢ−Ｂ線断面図）である。
【図４】上記実施形態に係る開口部装置の方立の拡大横断面図である。
【図５】従来の開口部装置の備える方立の拡大横断面図である。
【発明を実施するための形態】
【００１５】
以下、本発明の一実施形態について、図面を参照しながら詳しく説明する。なお、本明細書において、「見付方向」とは、建物に形成された開口部に納められた開口部装置の上枠、下枠、縦枠の長手方向（すなわち、ガラスや障子の面内方向）を意味し、「見込方向」とは、屋内外方向（すなわち、奥行き方向）を意味する。
図１は、本実施形態に係る開口部装置１を屋内側から見た姿図である。開口部装置１は、店舗等に設置される排煙機構を有する開口部装置であり、開口部装置１は、本発明の一例としての連段窓である。
【００１６】
開口部装置１は、建物に形成された開口に納められる。開口部装置１は、建物の開口に取り付けられる枠体２を備える。枠体２は、上枠２１と、下枠２２と、屋内側から見ての左側の縦枠２３と、図示しない右側の縦枠と、により矩形に枠組みされる。
開口部装置１は、更に、枠体２を見付方向に並んだ複数の開口部に区画する方立３と、更に枠体２及び方立３によって形成される開口部を上下に区画する無目４と、を備える。
【００１７】
開口部装置１の、屋内側から見て左側から３本目の方立までは、無目４を境にして上段に、排煙窓５１が納められ、下側に、ＦＩＸ窓５２が納められた排煙窓ユニット５が３ユニット連続して配設される。排煙窓は、縦方向にスライド自在である。開口部装置１は、更にオペレータ２３１を有する。オペレータ２３１は、縦枠２３の上側に配置されて固定される。オペレータ２３１は、見付方向に延びるワイヤ７の端部を巻き取って排煙窓の重みを支える。オペレータ２３１は、操作引手２３２と、上昇コード２３３と、を有する。操作引手２３２を引くことでオペレータ２３１のロック機構が解除され、通常閉鎖されている排煙窓５１が自重で下がって開放される。一方、上昇コード２３３を引くことで排煙窓５１を上昇させて閉鎖させることができる。見付方向に並んだ３つの排煙窓５１は、連動しており、オペレータ２３１によって一括して開放・閉鎖を行うことが可能である。
【００１８】
開口部装置１の、屋内側から見て左側から３本目の方立よりも右側には、無目４を境にして上下にＦＩＸ窓６１，６２が納められたＦＩＸ窓ユニット６が連設される。続いて、図２〜図４により、開口部装置１の屋内側から見て右側の構造（ＦＩＸ窓ユニット６）について詳しく説明する。
【００１９】
図２は、開口部装置１の縦断面図であって、図１のＡ−Ａ線断面図である。図２に示すように、開口部装置１は、上段の開口部に納められたガラス６１ａ及び下段の開口部に納められたガラス６２ａを備える。ガラス６１ａ及びガラス６２ａは、単板ガラスである。
【００２０】
図２に示すように、上枠２１は、屋内側に配置される上方に開放された断面コ字状である上枠本体部２１１と、上枠本体部２１１から屋外側に延設され且つガラス６１ａの上端部を保持する溝２１２ａを形成する上枠ガラス保持部２１２と、更に上枠ガラス保持部２１２から屋外側に延設される上枠延設部２１３と、を有する。上枠本体部２１１は、内側に形成され且つ上枠２１の長手方向に延びる溝２１１ａ，２１１ｂを有する。
上枠２１は、例えば、アルミニウムを押し出し成型することによって形成することができる。
【００２１】
無目４は、屋内側に配置され且つ中空部を有するホロー構造である無目本体部４１と、無目本体部４１から屋外側に延設され且つ中空部を有するホロー構造である無目ガラス保持部４２と、を有する。無目ガラス保持部４２は、屋外側の端部から垂設する垂設部４２ａを有することでガラス６２ａの上端部を保持する溝４２ｂを形成する。
無目４は、例えば、アルミニウムを押し出し成型することによって形成することができる。
【００２２】
無目４の屋外上側には、無目ガラス保持部４２に係止されるガラス保持部材４３が配置される。無目４及びガラス保持部材４３によって、ガラス６１ａの下端部を保持する溝４３ａが形成される。
【００２３】
下枠２２は、屋内側に配置され且つ中空部を有するホロー構造である下枠本体部２２１と、下枠本体部２２１から屋外側に延設され且つ中空部を有するホロー構造である下枠延設部２２２と、を有する。下枠本体部２２１は、屋外側の上端から立設され且つ後述する溝２２３ａの屋内側の一部を形成する立設部２２１ａを有する。また、下枠本体部２２１は、内側に形成され且つ下枠２２の長手方向に延びる溝２２１ｂ，２２１ｃを有する。
【００２４】
下枠２２は、アンカー２２５，２２６にそれぞれ係合された水切り材２２７及び支持部材２２８と、屋内外方向からビス等の固定具により締結されて支持される。このような構造によって、下枠２２は、水切り材２２７及び支持部材２２８から分離してリサイクルすることが可能になっている。下枠２２は、例えば、アルミニウムを押し出し成型することによって形成することができる。
下枠２２の屋外上側には、下枠延設部２２２に係止されるガラス保持部材２２３が配置される。下枠２２及びガラス保持部材２２３によって、ガラス６２ａの下端部を保持する溝２２３ａが形成される。なお、図示しない右側の縦枠の下部には、キャップ部材２４１が配置される。
【００２５】
図２に示すように、ガラス６１ａは、溝４３ａの内部に配置される支持部材６１ｂによって支持される。ガラス６１ａの上端部は、溝２１２ａ内において、バックアップ材６１ｆ，６１ｆによって挟まれる。更にバックアップ材６１ｆ，６１ｆの下方には、シール材６１ｅ，６１ｅが塗工される。ガラス６１ａの下端部は、溝４３ａ内において、バックアップ材６１ｃ，６１ｃによって挟まれる。更にバックアップ材６１ｃ，６１ｃの上方には、シール材６１ｄ，６１ｄが塗工される。
【００２６】
ガラス６２ａは、溝２２３ａの内部に配置される支持部材６２ｆによって支持される。ガラス６２ａの上端部は、溝４２ｂ内において、バックアップ材６２ｊ，６２ｊによって挟まれる。更にバックアップ材６２ｊ，６２ｊの下方には、シール材６２ｉ，６２ｉが塗工される。ガラス６２ａの下端部は、溝２２３ａ内において、バックアップ材６２ｇ，６２ｇによって挟まれる。更にバックアップ材６２ｇ，６２ｇの上方には、シール材６２ｈ，６２ｈが塗工される。
【００２７】
図３は、開口部装置１の横断面図であって、図１のＢ−Ｂ線断面図である。つまり、図３では、ＦＩＸ窓ユニット６のうち、ＦＩＸ窓６２における横断面図を示す。なお、ＦＩＸ窓６１における横断面図も図３と同一の構造であるので説明は省略する。また、図４は、図３に示した、開口部装置１の備える方立３の拡大横断面図である。
【００２８】
図３に示すように、ＦＩＸ窓６２の左右の縦材を構成する方立３，３は同一の構造である。
図３及び４に示すように、方立３は、屋内側から見て、右側に配置される第１の方立部材３１と、左側に配置される第２の方立部材３２と、を備える。
【００２９】
第１の方立部材３１は、第１の方立本体部３１１と、第１の方立本体部３１１の屋外側に設けられ且つガラス６２ａの屋内側から見て左側の側端部が挿入されて保持される溝３１２ｄを有する第１の保持部３１２と、を有する。
第１の保持部３１２は、第１の方立本体部３１１から見込方向（屋外側）に延出される第１の方立見込部３１２ａと、第１の方立見込部３１２ａの先端から見付方向（屋内側から見て右側）に延設される第１の方立見付部３１２ｂと、第１の方立見込部３１２ａの先端から第１の方立見付部３１２ｂの延びる方向とは反対側（屋内側から見て左側）に突出する突出部３１２ｃと、を有する。
【００３０】
図４に示すように、第１の方立見込部３１２ａは、後述するビス８３の螺合される孔の周囲において第２の方立部材３２側に突出して形成される凸部３１２ｅを有する。凸部３１２ｅが形成されることで、によって、ビス８３の螺合される孔が深くなり、ビス８３の先端を溝３１２ｄの内部に侵入させずとも、第１の方立部材３１及び第２の方立部材３２を強固に締結することができる。また、ビス８３の先端を溝３１２ｄの内部に侵入させないことで、溝３１２ｄにガラス６２ａを挿入する際に、ガラス６２ａがビス８３に接触して割れてしまうのを防ぐことができる。第１の方立見込部３１２ａは、更に、見込面（屋内側から見て右側の見込面）に形成される斜面３１２ｆを有する。斜面３１２ｆは、屋外側から屋内側に向かって、屋内側から見て左側に傾斜するように形成される。つまり、斜面３１２ｆは、屋内側から見て右側及び屋内側に面が向いて形成される。
第１の方立見付部３１２ｂは、先端から屋内側に突出して形成される凸部３１２ｇを有する。
突出部３１２ｃは、その先端に気密材３１５の配置される溝部を有する。
【００３１】
第２の方立部材３２は、第２の方立本体部３２１と、第２の方立本体部３２１の屋外側に設けられ且つガラス６２ａの屋内側から見て右側の側端部が挿入されて保持される溝３２２ｃを有する第２の保持部３２２と、を有する。
第２の保持部３２２は、第２の方立本体部３２１から見込方向（屋外側）に延出される第２の方立見込部３２２ａと、第２の方立見込部３２２ａの先端から見付方向（屋内側から見て左側）に延設される第２の方立見付部３２２ｂと、を有する。第２の方立見込部３２２ａは、屋外側の見込面において気密材３１５と接する。
【００３２】
第１の方立本体部３１１及び第２の方立本体部３２１は、断面略正方形の筒状に形成される。
本実施形態において、隣り合う一対のガラス６２ａ，６２ａは、それぞれ溝３１２ｄ，３２２ｃに対向する側端部が挿入されて保持される。溝３１２ｄと溝３２２ｃとでは、溝３１２ｄの方が深い溝に形成される。
【００３３】
ガラス６２ａの屋内側から見て左側の端部は、溝３１２ｄ内において、バックアップ材６２ｂ，６２ｂによって挟まれる。更にバックアップ材６２ｂ，６２ｂの右側には、コーキング材６２ｃ，６２ｃが塗工される。ガラス６２ａの屋内側から見て右側の端部は、溝３２２ｃ内において、バックアップ材６２ｄ，６２ｄによって挟まれる。更にバックアップ材６２ｄ，６２ｄの左には、コーキング材６２ｅ，６２ｅが塗工される。
【００３４】
図３及び図４に示すように、本実施形態に係る開口部装置１は、更に、方立３を補強する補強材８を備える。補強材８は、方立３内を上下方向に延びる。補強材８は、例えばアルミよりも強度が高いＳＵＳやスチール等で構成される。補強材８は、例えば板状の長尺部材を、その長手方向を折り曲げ軸として、その幅方向に複数回折り曲げ成形することで、所定の形状に形成される。
補強材８は、第１の方立本体部３１１及び第２の方立本体部３２１の内部に配置された補強材本体部８１と、見込方向（屋外側）に延出する補強材延出部８２と、を有する。
【００３５】
補強材本体部８１は、断面コ字状に形成され第１の方立本体部３１１の内面に沿うように配置される。
補強材延出部８２は、補強材本体部８１から第１の保持部３１２と第２の保持部３２２との間（第１の方立見込部３１２ａと第２の方立見込部３２２ａとの間）を通って延出する。より詳しくは、補強材延出部８２は、第１の方立見込部３１２ａ、第２の方立見込部３２２ａ及び突出部３１２ｃによって形成される空間に侵入する。このように、補強材延出部８２は、第１の方立見込部と前記第２の方立見込部との間に配置される。また、補強材延出部８２は、方立３の見付方向の中心よりも屋内側から見て左側に偏心した部位において見込方向（屋外側）に延出する。補強材延出部８２は、締結部材としてのビス８３によって第１の方立見込部３１２ａ及び第２の方立見込部３２２ａと共締めされる。
【００３６】
補強材８は、締結部材としてのビス８４ａ，８４ｂによって第１の方立部材３１及び下枠２２と共締めされる。ビス８４ａ，８４ｂは、それぞれ下枠２２における溝２２１ｃ，２２１ｂ（図２参照）の端部から螺入される。なお、第２の方立部材３２は、締結部材としてのビス８４ｃ，８４ｄによって下枠２２に固定される。ビス８４ｃ，８４ｄは、それぞれ下枠２２における溝２２１ｃ，２２１ｂ（図２参照）のビス８４ａ，８４ｂが螺入される端部とは逆側の端部から螺入される。
なお、方立３を、屋内側から見て、図３及び図４とは左右対称の構造にしてもよい。つまり、第１の方立部材３１と第２の方立部材３２は左右逆に配置してもよい。また、補強材８についても、屋内側から見て、図３及び図４とは左右対称の構造にしてもよい。更には、補強材延出部８２を、方立３の見付方向の中心よりも屋内側から見て右側に偏心した部位において見込方向（屋外側）に延出させてもよい。
【００３７】
続いて、開口部装置１の施工方法について説明する。本実施形態に係る施工方法は、工場ではなく、開口部装置１が設置される現場で行うことができる。
本実施形態に係る施工方法は、補強材本体部８１を方立３（第１の方立部材３１）とともに横枠（上枠２１及び下枠２２）に締結部材で固定する工程を含む。
この工程において、補強材本体部８１を第１の方立部材３１とともに下枠２２に固定する場合は、締結部材としてのビス８４ａ，８４ｂを用いる。ビス８４ａ，８４ｂは、それぞれ下枠２２における溝２２１ｃ，２２１ｂ（図２参照）の端部から螺入され、補強材本体部８１及び第１の方立部材３１が下枠２２に固定される。補強材本体部８１を第１の方立部材３１とともに上枠２１に固定する場合も同様である。更に、この工程においては、第２の方立部材３２が、締結部材としてのビス８４ｃ，８４ｄによって下枠２２に固定される、上枠２１にも同様に固定される。なお、無目４についても図示しない締結部材を用いて上枠２１及び下枠２２と同様に、第１の方立部材３１及び第２の方立部材３２に締結される。
この工程において、横材としての上枠２１及び下枠２２並びに縦材としての第２の方立部材３２及び補強材８が一体化された第１の方立部材３１を含む枠体が形成される。
【００３８】
また、本実施形態に係る施工方法は、補強材延出部８２を、第１の方立見込部３１２ａ及び第２の方立見込部３２２ａと締結部材としてのビス８３で共締めする工程を含む。
この工程においては、上述した、横材としての上枠２１及び下枠２２並びに縦材としての第２の方立部材３２及び補強材８が一体化された第１の方立部材３１を含む枠体を複数並べて、これらをビス８３によって締結する。この工程では、方立３の延びる方向において所定間隔を開けてビス８３を複数締結する。
この工程は、建物の開口に上述した枠体を配置した上で行ってもよい。
【００３９】
更に、本実施形態に係る施工方法では、ビス８３による共締めを行った後に、ガラス６１ａ，６２ａが枠体内に納められる。ガラス６１ａ，６２ａは枠体内にやり返しにより納められる。つまり、左右の溝のうち深い方の溝３１２ｄの奥までガラス６１ａ，６２ａの一方の側端部を送り込んだのちに、ガラス６１ａ，６２ａの他方の側端部を浅い方の溝３２２ｃに挿入する。ガラス６１ａ，６２ａが枠体内に納められた後に、ガラス保持部材４３，２２３がそれぞれ無目４及び下枠２２に係合され、コーキング等の処理が行われる。
【００４０】
本実施形態によれば、以下の効果が奏される。
本実施形態では、方立３と、方立３を補強する補強材８を備える開口部装置１において、方立３が、筒状の、第１の方立本体部３１１及び第２の方立本体部３２１と、その屋外側に設けられ且つ隣り合う一対のガラス６１ａ，６２ａの側端部が挿入されて保持される一対の溝３１２ｄ，３２２ｃを有する第１の保持部３１２及び第２の保持部３２２と、を有するものとした。また、補強材８が、筒状の第１の方立本体部３１１及び第２の方立本体部３２１の内部に配置された補強材本体部８１と、補強材本体部８１から一対の溝３１２ｄ，３２２ｃ間を通って屋外側に延出する補強材延出部と、を有するものとした。
これにより、ガラスの延長面上も補強することで方立３の強度（耐風圧性能）を十分に向上させつつも、方立３の見付方向及び見込方向の幅を十分に小さくすることができる。方立３の見付方向の幅を十分に小さくすることで開口部装置１の採光性が高くなる。一方、方立３の見込方向の幅を十分に小さくすることで屋内の床面積を大きくすることができる。
また、一対の溝３１２ｄ，３２２ｃが屋外側に形成されることで、ガラス６１ａ，６２ａも屋外側に寄せることができるので、開口部装置１をカーテンウォール風にすることができ、開口部装置１を屋外側から観察した際の意匠性が向上する。
【００４１】
また、本実施形態では、補強材延出部８２が、方立３の見付方向の中心よりも一方側（屋内側から見て左側）に偏心した部位において補強材本体部８１から屋外側に延出するものとすることで、溝３１２ｄの深さを溝３２２ｃの深さよりも深くした。
これにより、開口部装置１を施工する際に、ガラス６１ａ，６２ａを枠体内にやり返しによって納めるのが容易になる。
【００４２】
また、本実施形態では、方立３を、第１の方立部材３１及び第２の方立部材３２の２部材とした。また、補強材延出部８２を、第１の方立部材３１と第２の方立部材３２との間（第１の方立見込部３１２ａと第２の方立見込部３２２ａとの間）に配置してビス８３によって第１の方立部材３１と第２の方立部材３２との間（第１の方立見込部３１２ａと第２の方立見込部３２２ａとの間）と共締めした。
これにより、方立３の組み立てとともに補強材８を容易に方立３に緊結できるようになり、施工性の高い開口部装置を提供できる。
【００４３】
また、本実施形態では、方立３が、第１の方立見込部３１２ａの先端から屋内側から見て左側に突出する突出部３１２ｃ有するものとした。また、補強材延出部８２は、第１の方立見込部３１２ａ、第２の方立見込部３２２ａ及び突出部３１２ｃによって形成される空間に侵入するものとした。
これにより、より強固に補強材８を方立３に緊結できるので、方立３の強度が向上する。
【００４４】
また、本実施形態では、開口部装置１の施工方法において、補強材本体部８１を方立３（第１の方立部材３１）とともに横枠（上枠２１及び下枠２２）に締結部材（ビス８４ａ，８４ｂ）で固定した。更に、補強材延出部８２を、第１の方立見込部３１２ａ及び第２の方立見込部３２２ａと締結部材としてのビス８３で共締めした。
このように、補強材８を容易に方立３に緊結できるので、工場ではなく、開口部装置１が設置される現場において、開口部装置１の部材を組み立てるのが可能になる。
【００４５】
なお、本発明は上記実施形態に限定されるものではなく、本発明の目的を達成できる範囲での変形、改良等は本発明に含まれる。
上記実施形態では、方立３を含む枠体にガラス６１ａ，６２ａが納められるものとしたがこれに限定されず、例えば引違い戸や辷り出し窓等の障子を開口部に納める構成としてもよい。
また、本発明によれば、例えば、店舗等の低階層用カーテンウォールにおいても、方立の見付け寸法及び見込み寸法を小さくできるとともに、方立に風圧（負圧や正圧）が作用した場合に十分な性能を示すことができる。
【符号の説明】
【００４６】
１…開口部装置
２…枠体
３…方立
３１…第１の方立部材
３１１…第１の方立本体部（方立本体部）
３１２…第１の保持部（保持部）
３１２ａ…第１の方立見込部
３１２ｂ…第１の方立見付部
３１２ｃ…突出部
３１２ｄ…溝
３２…第２の方立部材
３２１…第２の方立本体部
３２２…第２の保持部
３２２ａ…第２の方立見込部
３２２ｂ…第２の方立見付部
３２２ｃ…溝
６１ａ，６２ａ…ガラス（ガラス又は障子）
８…補強材
８１…補強材本体部
８２…補強材延出部
８３…ビス（締結部材）
８４ａ，８４ｂ…ビス（締結部材）
【図１】
2015175152.tif 000003
【図２】
2015175152.tif 000004
【図３】
2015175152.tif 000005
【図４】
2015175152.tif 000006
【図５】
2015175152.tif 000007